(57)【特許請求の範囲】
【請求項１】
フレックス・ケーブルと、
フレックス・ケーブルに取り付けられたブラケットＡと、
フレックス・ケーブルに取り付けられたブラケットＢと、
ブラケットＡとブラケットＢとの間で着脱可能であって、フレックス・ケーブルを折り返した状態で、ブラケットＡとブラケットＢとを保持可能な、バンドと、
を有することを特徴とする、
フレックス・ケーブル・アセンブリ（ＦＣＡ）。
【請求項２】
バンドの少なくとも一部分が弾性変形可能な材料から構成されていて、バンドにフック部が設けられていて、このフック部がブラケットＡとの間で係合可能にされている、
請求項１記載のフレックス・ケーブル・アセンブリ（ＦＣＡ）。
【請求項３】
バンドには溝が設けられていると共にブラケットＢには突起が設けられていて、バンドが、ブラケットＡとの間で係合していない状態においても、バンドの溝がブラケットＢに設けられた突起との間で係合することによって、バンドとブラケットＢとが一体として保持可能にされている、
請求項１記載のフレックス・ケーブル・アセンブリ（ＦＣＡ）。
【請求項４】
バンドにサポート部が設けられていて、そのサポート部によってブラケットＡとブラケットＢとの間が所定の角度を保って保持可能にされている、
請求項１記載のフレックス・ケーブル・アセンブリ（ＦＣＡ）。
【請求項５】
ブラケットＡとブラケットＢとの間が約１５度の角度を保って保持可能にされている、
請求項４記載のフレックス・ケーブル・アセンブリ（ＦＣＡ）。
【請求項６】
ヘッド・ジンバル・アセンブリ（ＨＧＡ）を有し、
請求項１乃至５に記載のフレックス・ケーブル・アセンブリ（ＦＣＡ）の一方が、ヘッド・ジンバル・アセンブリ（ＨＧＡ）に取り付けられている、
ヘッド・サスペンション・アセンブリ（ＨＳＡ）。
【請求項７】
ベースを有し、
ベースに対して、請求項６に記載のヘッド・サスペンション・アセンブリ（ＨＳＡ）が揺動可能に取り付けられていて、
ベースに対して、フレックス・ケーブル・アセンブリ（ＦＣＡ）の他方が、接続可能にされている、
ハード・ディスク・ドライブ（ＨＤＤ）。
【発明の詳細な説明】
【０００１】
【発明の属する技術分野】
本発明は、一般的には、ハード・ディスク・ドライブ（ＨＤＤ）の内部の構造、その製造方法及び分解方法に関する。より詳細には、ハード・ディスク・ドライブ（ＨＤＤ）の内部において、フレックス・ケーブルの折り返された状態を適切に保持する手法に関する。
【０００２】
【従来の技術】
従来の技術では、ハード・ディスク・ドライブ（ＨＤＤ）の内部において、フレックス・ケーブルを折り返した状態を適切に保持し、かつ、取り付けや取り外しが容易にできる構造は存在しなかった。
【０００３】
【発明が解決しようとする課題】
本発明の目的は、フレックス・ケーブルを折り返した状態を、適切に保持する手法を提供するものである。
【０００４】
本発明の他の目的は、フレックス・ケーブルを折り返した状態を実現するための取り付けに有用な構造及び方法を提供することにある。
【０００５】
本発明の更なる目的は、フレックス・ケーブルを折り返した状態を解放するための取り外しに有用な構造及び方法を提供することにある。
【０００６】
【課題を解決するための手段】
本発明は、フレックス・ケーブルと、フレックス・ケーブルに取り付けられたブラケットＡと、フレックス・ケーブルに取り付けられたブラケットＢと、ブラケットＡとブラケットＢとの間で着脱可能であって、フレックス・ケーブルを折り返してブラケットＡとブラケットＢとを重ね合せた状態で、ブラケットＡとブラケットＢとを保持可能な、バンドと、を有するフレックス・ケーブル・アセンブリ（ＦＣＡ）において実現される。
【０００７】
さらには、本発明は、ヘッド・サスペンション・アセンブリ（ＨＳＡ）というアセンブリ単位として、又は、ハード・ディスク・ドライブ（ＨＤＤ）全体のアセンブリ単位としても実現される。すなわち、様々な製造段階において実現される。
【０００８】
また、本発明は、効率的な製造方法、分解方法としても実現される。
【０００９】
【発明の実施の形態】
【ＨＤＤ】
図１は、ハード・ディスク・ドライブ（ＨＤＤ）１０の斜視図である。内部の状態を示すため、カバー１８を取り外した斜視図についても示されている。ベース１２に対して、ディスク１４が回転できるように取り付けられている。また、ベース１２に対して、ヘッド・サスペンション・アセンブリ（ＨＳＡ）３０も取り付けられており、ディスク１４を半径方向に横切って、ディスク１４上の所望の位置をアクセスできるようにされている。
【００１０】
【ＨＳＡ】
図２は、ヘッド・サスペンション・アセンブリ（ＨＳＡ）３０の平面図（Ａ）及び斜視図（Ｂ−Ｅ）である。斜視図については様々な方向から見たものを示している。ヘッド・サスペンション・アセンブリ（ＨＳＡ）３０は、ヘッド・ジンバル・アセンブリ（ＨＧＡ）３２と、コイル・サポート３８と、フレックス・ケーブル・アセンブリ（ＦＣＡ）５０とを含んでいる。
【００１１】
ヘッド・ジンバル・アセンブリ（ＨＧＡ）３２とコイル・サポート３８とは固着されており、ベース１２に対して、軸４０を中心として揺動可能に取り付けることができる（図１も参照）。コイル・サポート３８には、フレックス・ケーブル・アセンブリ（ＦＣＡ）５０を通じて、コイル部分に電流が与えられる。コイル・サポート３８は、ボイス・コイル・モータ（ＶＣＭ）アセンブリ１６（図１）によって与えられる磁場と協働して、ＨＳＡ３０を揺動する。このことによって、ヘッド・サスペンション・アセンブリ（ＨＳＡ）３０が、ディスク１４上の所望の位置がアクセスできる。
【００１２】
ディスク１４へのデータの記録及びディスク１４からのデータ読み出しについては、サスペンション３６の先端に位置するヘッド３４に信号が与えられると共にヘッド３４から信号が取り出される。データの記録及び読み出しの信号についてもフレックス・ケーブル・アセンブリ（ＦＣＡ）５０を通じて伝えられる。
【００１３】
【ＦＣＡ】
図３は、フレックス・ケーブル・アセンブリ（ＦＣＡ）５０を示す斜視図である。フレックス・ケーブル・アセンブリ（ＦＣＡ）５０は、フレックス・ケーブル６０と、ブラケットＡ７０と、ブラケットＢ８０と、ブラケットバンド（以下、単に「バンド」）９０と、アームエレクトロニクス（ＡＥ）１００と、他の電気パーツ１１０と、ブラケットヴァーティカル１２０と、ブラケットベースサイド１３０と、コネクタ１４０とを含んでいる。バンド９０が装着される前には、フレックス・ケーブル・アセンブリ（ＦＣＡ）５０にバンド９０が含まれていない場合もある。
【００１４】
図４は、フレックス・ケーブル６０の平面図である。フレックス・ケーブル６０は、その全体をフラットなシート状に切り出すことができ、その中に配線パターンを含めることができる。フレックス・ケーブル６０の一方６２はヘッド・ジンバル・アセンブリ（ＨＧＡ）３２及びコイル・サポート３８に取り付けられ、フレックス・ケーブル６０の他方６６はベース１２（図１）に対して装着される。フレックス・ケーブル６０は、点線の箇所において山側又は谷側に折り返すことができる。すなわち、ブラケットＡ７０とブラケットＢ８０が取り付けられることになる位置との間６４においても折り返すことができる。
【００１５】
図５は、フレックス・ケーブル・アセンブリ（ＦＣＡ）５０の平面図である。全体をフラットなシート状として切り出されたフレックス・ケーブル６０に対して、ブラケットＡ７０と、ブラケットＢ８０と、バンド９０と、アームエレクトロニクス（ＡＥ）１００と、他の電気パーツ１１０と、ブラケットヴァーティカル１２０と、ブラケットベースサイド１３０と、コネクタ１４０とが取り付けられる。これらの部品をフレックス・ケーブル６０に取り付けるためには、当業者であれば、接着、溶着、はんだ付けなどの様々な手法を採用することができる。
【００１６】
このフレックス・ケーブル・アセンブリ（ＦＣＡ）５０を、図４の点線の箇所において山側又は谷側に折り返すことによって、図３のように立体的に組み立てることができる。組み立ての結果として、フレックス・ケーブル６０の他方６６にあるコネクタ１４０は、図４や図５に示された平面とは反対側の平面に移る（図３に点線で示す。）。また、ブラケットヴァーティカル１２０をブラケットベースサイド１３０に対して垂直な関係に組み立てることによって、フレックス・ケーブル６０をブラケットベースサイド１３０に対して垂直な関係に組み立てることができる（図３）。
【００１７】
図６は、フレックス・ケーブル６０を折り返す前のフレックス・ケーブル・アセンブリ（ＦＣＡ）５０の一部を拡大した平面図である。この図のように、ブラケットＡ７０とブラケットＢ８０とはフレックス・ケーブル６０をはさんで分離されているから、ブラケットＡ７０とブラケットＢ８０との間６４は折り返すことができる。
【００１８】
図７は、フレックス・ケーブル６０を折り返した後のフレックス・ケーブル・アセンブリ（ＦＣＡ）５０の一部を拡大した上面図である。この図に従えば、フレックス・ケーブル６０が折り返された状態で、かつ、ブラケットＡ７０とブラケットＢ８０とが重ね合された状態にされているのがよく見える。バンド９０が介在することで、ブラケットＡ７０とブラケットＢ８０とが保持されている。
【００１９】
また、バンド９０が介在することで、ブラケットＢ８０やそれに取り付けられているフレックス・ケーブル６０が、アーム・エレクトロニクス（ＡＥ）１００を空間的に避けている。さらには、ブラケットＡとブラケットＢとの間が所定の角度を保って保持されている。
【００２０】
このような工夫が必要となる理由は、アーム・エレクトロニクス（ＡＥ）１００や他の電気パーツ１１０をヘッド・サスペンション・アセンブリ（ＨＳＡ）３０の近くに設けすることに関係する。できるだけヘッド３４の近くに電気部品を配置した方が機能上有利になるからである。例えば、ヘッド３４からは微弱な電流しか取り出せない場合があるため、早い段階からアーム・エレクトロニクス（ＡＥ）１００内のプリ・アンプ回路に渡した方が有利になる。実際のところ、アーム・エレクトロニクス（ＡＥ）１００や他の電気パーツ１１０は、ブラケットＡ７０上においてかなりの面積を占有している。
【００２１】
【ＨＳＡへのＦＣＡの取り付け関係】
図８は、ヘッド・サスペンション・アセンブリ（ＨＳＡ）３０の斜視図である。図２の斜視図の一つを拡大した図でもある。この図から、フレックス・ケーブル・アセンブリ（ＦＣＡ）５０がヘッド・ジンバル・アセンブリ（ＨＧＡ）３２及びコイル・サポート３８に取り付けられている位置の様子と、フレックス・ケーブル６０が折り返されている位置の様子とが分かる。
【００２２】
【ＨＤＤ内におけるＨＳＡの配置】
図９は、ハード・ディスク・ドライブ（ＨＤＤ）１０内においてヘッド・サスペンション・アセンブリ（ＨＳＡ）３０が配置される関係を示す平面図である。
【００２３】
図９では、フレックスケーブル６０がＳ字状になっている。この図の状態では、ヘッド・サスペンション・アセンブリ（ＨＳＡ）３０は、ディスク１４を横切ってディスク１４上の所望の位置をアクセスしていない（いわゆるロード状態）。その代わりに、ヘッド・サスペンション・アセンブリ（ＨＳＡ）３０は、待避位置にある（いわゆるアンロード状態）。ここでＳ字が形成されていることには、ブラケットＡとブラケットＢとの間が所定の角度を保って保持されていることが深く関わっていることがわかる。
【００２４】
【フレックス・ケーブルにより生じるバイアス力（回転モーメント）】
また、ヘッド・サスペンション・アセンブリ（ＨＳＡ）３０が、ディスク１４上の所望の位置をアクセスしていくと、Ｓ字として描かれる弧の曲率も変化する。すなわち、フレックスケーブル６０は変化するバイアス力を生じさせる。このバイアス力は、軸４０の周りにヘッド・サスペンション・アセンブリ（ＨＳＡ）３０を回転させることに影響する力、すなわち回転モーメントを生じさせる。
【００２５】
【ＨＤＤのデータアクセスの信頼性】
このような回転モーメントが大きく変化すると、ヘッド・サスペンション・アセンブリ（ＨＳＡ）３０がディスク１４を横切ってディスク１４上の所望の位置をアクセスする際に、誤動作を生じさせる可能性がある。従って、ＨＤＤのデータアクセスの信頼性を確保するためには、回転モーメントの変化は少ない方が好ましい。
【００２６】
このため、ベースへのＨＳＡの取り付け位置、ＨＳＡのアクセス範囲、ＨＳＡの取り付け中心である軸４０とディスク１４との間のシーク角度（回転角度）は、設計において十分に考慮されなければならない。すなわち、ブラケットＡとブラケットＢとの間の角度である１５度は、これらの兼ね合いによって決定されたものである。ただし、当業者であれば、他の様々なＨＤＤにおいて様々な角度を採用し得る。
【００２７】
【フレックス・ケーブルを折り返す必要性】
また、ＨＤＤ１０内の空間をうまく利用するためには、ＨＧＡへの取り付け位置からフレックス・ケーブル６０を折り返さなくてはならないことがわかる。図９に示すように折り返すことで、実質的に、ヘッド・サスペンション・アセンブリ（ＨＳＡ）３０の揺動中心である軸４０に対してできるだけ近い位置にフレックスケーブル６０を取り付けたと同じ効果が得られる。すなわち、回転モーメントを生じさせるフレックスケーブル６０の根元までの腕の長さを短くし、回転モーメントを小さく抑えることができる。また、フレックス・ケーブル６０によって形成されるＳ字状の部分を長くとれれば、曲率の変化を比較的緩やかにすることもできる。
【００２８】
【ブラケットＡとブラケットＢの存在意義】
ここで、図６のように、フレックス・ケーブル・アセンブリ（ＦＣＡ）５０において、ブラケットＡ７０とブラケットＢ８０とを設けている理由を述べる。フレックス・ケーブル６０は、ブラケットＡ７０とブラケットＢ８０との間６４において折り返しができることからも明らかであるが、フレックス・ケーブル６０だけでは曲げに対する剛性が十分であるとは言えない。また他の部品への固定のためにも剛性は必要である。そこで、ブラケットＡ７０とブラケットＢ８０とを設けておけば、少なくともこれらが取り付けられている箇所においては剛性をかせぐことができる。
【００２９】
【フック部の必要性】
ブラケットＡ７０とブラケットＢ８０とを互いに係合させてその状態を保持し、一方では、製造上これらを互いに容易に装着でき、分解上これらを容易に取り外せることが求められる。このような装着と取り外しとの両方の機能を満たすためには、例えば、図１０のように仮定して、ブラケットＢにフック部を持たせることが考えられる。
【００３０】
【フック部をブラケットＢに設けることの仮定：平面状としての扱い】
しかし、ブラケットＢ側にフック部を持たせようとすると、ブラケットＢは平面状ではなくなる。ブラケットＢとケーブル６０とを接着などによって取り付ける製造上の便宜を考慮すると、ブラケットＢはできるだけ平面であった方が好ましい。図１０のように仮定したフック部のような出っ張り部分は、できる限り無い方が好ましい。
【００３１】
【フック部をブラケットＡに設けることの仮定：平面状としての扱い】
さらには、ブラケットＡ７０についても平面状であった方が好ましい。こちら側でも、ブラケットＡ７０上にアーム・エレクトロニクス（ＡＥ）１００等の電気パーツが実装されるからである。より具体的には、フレックス・ケーブル・アセンブリ（ＦＣＡ）５０の一方６２とヘッド・ジンバル・アセンブリ（ＨＧＡ）３２との間での電気的接続のために、半田付け等のアクセス作業が必要となる（図１１の矢印参照）。このようなアクセス作業をするにあたって、もしフック部のような出っ張りがあると、物理的に邪魔になって好ましくない。
【００３２】
また、無理な装着や無理な取り外しによって、ブラケットＡ７０又はブラケットＢ８０の何れか一方のフック形状が破損する場合がある。このような場合にはブラケットＡ７０又はブラケットＢ８０の何れか一方のみではなく、それが取り付けられているフレックス・ケーブル６０ごと、すなわち、フレックス・ケーブル・アセンブリ（ＦＣＡ）５０全体をまとめて交換しなくてはならなくなる。
【００３３】
【サポート部の必要性】
図１１や図１２に示すように、フレックス・ケーブル６０を折り返す前には、取り付けねじ４４によってフレックス・ケーブル・アセンブリ（ＦＣＡ）５０をヘッド・ジンバル・アセンブリ（ＨＧＡ）３２に取り付ける必要がある。この取り付けねじ４４の山部分はブラケットＡ７０から出っ張っている。
【００３４】
この取り付けねじ４４の山部分は、バンド９０の介在により、図７において説明したと同様に、空間的に避けられる。このような機能を果たす部分をバンド９０のサポート部と呼んでいるが、この詳細については後述する。
【００３５】
【バンドを利用することのメリット】
図１３に示すように、本発明においては、ブラケットＡ７０とブラケットＢ８０とは別の部品として、バンド９０を設けている。このバンド９０を用いれば、ブラケットＡ７０とブラケットＢ８０とを重ね合わせながらバンド９０を装着してブラケットＡ７０とブラケットＢ８０とを保持可能にできる。バンド９０を別の部品にしたことによって、装着も容易であるし、取り外しも容易である。この図１３においては、バンド９０をブラケットＢ８０から離れた部品として描いているが、後述するように、バンド９０とブラケットＢ８０とは一体として保持可能にされる。
【００３６】
【製造段階中、バンドを装着する段階】
次に、バンド９０の装着や取り外しを、どの製造段階で行うべきかについて述べる。この作業は、フレックス・ケーブル・アセンブリ（ＦＣＡ）５０を形成する段階で行ってもよいし（図３）、ヘッド・サスペンション・アセンブリ（ＨＳＡ）３０を形成する段階で行ってもよいし（図２、図８、図１３）、最終的なヘッド・サスペンション・アセンブリ（ＨＳＡ）３０をハード・ディスク・ドライブ１０のベース１２に組み入れる段階で行ってもよい（図１、図９）。
【００３７】
例えば、最終的にヘッド・サスペンション・アセンブリ（ＨＳＡ）３０をハード・ディスク・ドライブ１０のベース１２に組み入れる段階を考えてみる。フレックスケーブル６０の他方６６は、コネクタ１４０を通じてベース１２に装着されていることは既に述べた。ただし、このコネクタ１４０は図３で示すように裏側にあるため、ベース１２へのコネクタ１４０の接続、ベース１２からのコネクタ１４０の取り外しは、きわめて容易であり、バンド装着の前であったとしても、バンド装着の後であったとしても、どの段階でも行うことができる。
【００３８】
すなわち、バンド９０の装着は、ヘッド・サスペンション・アセンブリ（ＨＳＡ）というアセンブリ単位においても、又は、ハード・ディスク・ドライブ（ＨＤＤ）全体のアセンブリ単位においても、実現できる。
【００３９】
【バンドを利用することについてのその他のメリット】
また、図１４に示すように、バンド９０には、フック部９２とサポート部９６との両方を兼ね備えることができる。フック部９２はブラケットＡ７０と係合することができる部分である。
【００４０】
また、図１４に示すようにサポート部９６が角度をもって形成されていれば、ブラケットＢ８０やそれに取り付けられているフレックス・ケーブル６０が、取り付けねじ４４やアーム・エレクトロニクス（ＡＥ）１００を空間的に避けられる。さらには、ブラケットＡとブラケットＢとの間が所定の角度である約１５度の角度を保って保持される。
【００４１】
また、ブラケットＡとの間で係合していない状態においても、図１５及び図１６に示すように、バンド９０の溝９４がブラケットＢ８０の側に設けられた突起８２との間で係合することによって、バンド９０とブラケットＢ８０とが一体として保持可能にされる。このようにすれば、バンド９０のみを別部品として保管しなくても済むことになる。
【００４２】
【バンドを利用すると弾性が得られ易いというメリット】
図１７は、（Ａ）バンド９０が単独で曲げられた場合と、（Ｂ）バンド９０がフレックス・ケーブル６０に取り付けられた状態で曲げられた場合とを比較した模式図である。例えば、バンド９０の少なくとも一部分が弾性変形可能な材料から構成されていれば、その一部分が曲がることによって、バンド９０のフック部９２が広がってブラケットＡ７０を挟み込むことで係合可能となる。もっとも、当業者であれば他の係合方法を容易に採用し得る。
【００４３】
しかし、図１７から分かることは、（Ａ）の場合の方が曲げには有利であるということである。なぜならば、曲げをフレックス・ケーブル６０に拘束されることがないからである。すなわち、（Ｂ）の場合では、フレックス・ケーブル６０の曲げ剛性が余計に増えるからである。また、（Ａ）の場合では、フック部９２を長く設けることができるため、ブラケットＡ７０との間でしっかり係合（挟み込むことが）でき、強い振動や衝撃にあっても外れ難くすることができる。一方、（Ｂ）の場合では、溝９４を破損してしまう可能性さえある。また、（Ｂ）の場合は、フック部を仮にブラケットＢの側に設けた場合（図１０）に相当しているとも考えられる。ブラケットＢがバンドよりも広い幅を持っている分、曲げ剛性が余計に増えるからである。
【００４４】
【ブラケット、バンドのための材料】
ブラケットＡ７０、ブラケットＢ８０、バンド９０の材料には、プラスチックを用いることにした。これは、複雑な形状をモールドすることができ、軽量で、弾性もあり、量産にも適しているからである。好適な材料としては、ＰＥＩ（Ｐｏｌｙｅｔｈｅｒ  ＩＭＩＤ＝ポリエーテルイミド）から成るＵＬＴＥＭ（ＧＥ．Ｐｌａｓｔｉｃ社の商標）を用いた。より具体的には、ＵＬＴＥＭ１０００というグレードのものを使用した。弾性率を替えたいのであれば、当業者は他のグレードを採用すればよい。
【００４５】
この材料を使用した理由には、耐熱性も考慮されている。フレックス・ケーブル・アセンブリ（ＦＣＡ）５０のブラケットＡ７０上におけるアーム・エレクトロニクス（ＡＥ）１００や他の電気パーツ１１０の取り付け、および、フレックス・ケーブル６０のヘッド・ジンバル・アセンブリ（ＨＧＡ）３２への取り付けには、はんだ溶着を伴うからである。
【００４６】
また、ブラケットＡ７０、ブラケットＢ８０、バンド９０の材料を全て同じ材料にすれば、互いに係合して物理的に接触する関係にあることから、馴染みが良好となる。
【００４７】
【バンドの適正厚さ】
バンドが十分な弾性を得るためには、できるだけ薄い方が良いと考えた。ただし、実際の製品にする上でもし０．３ｍｍよりも薄いと、金型に樹脂が流れにくく安定した製品ができにくかった。一方で、０．３ｍｍの厚さでも十分な機能が果たせることが確認された。
【００４８】
当業者であれば、バンドに対して、他の代替的なプラスチック材料、他の適正厚さを採用することはきわめて容易である。
【発明の効果】
本発明に従えば、フレックス・ケーブルを折り返して、適切に保持する手法を提供される。これは、ハード・ディスク・ドライブの製造、分解を容易にするものである。
【図面の簡単な説明】
【図１】ハード・ディスク・ドライブ（ＨＤＤ）１０の斜視図である。
【図２】ヘッド・サスペンション・アセンブリ（ＨＳＡ）３０の平面図（Ａ）及び斜視図（Ｂ−Ｅ）である。
【図３】フレックス・ケーブル・アセンブリ（ＦＣＡ）５０を示す斜視図である。
【図４】フレックス・ケーブル６０の平面図である。
【図５】フレックス・ケーブル・アセンブリ（ＦＣＡ）５０の平面図である。
【図６】フレックス・ケーブル６０を折り返す前のフレックス・ケーブル・アセンブリ（ＦＣＡ）５０の一部を拡大した平面図である。
【図７】フレックス・ケーブル６０を折り返した後のフレックス・ケーブル・アセンブリ（ＦＣＡ）５０の一部を拡大した上面図である。
【図８】ヘッド・サスペンション・アセンブリ（ＨＳＡ）３０の斜視図である。
【図９】ハード・ディスク・ドライブ（ＨＤＤ）１０内においてヘッド・サスペンション・アセンブリ（ＨＳＡ）３０が配置される関係を示す平面図である。
【図１０】仮定として、ブラケットＢにフック部を持たせる場合を示す斜視図である。
【図１１】フレックス・ケーブル６０を折り返す前に、取り付けねじ４４によってフレックス・ケーブル・アセンブリ（ＦＣＡ）５０をヘッド・ジンバル・アセンブリ（ＨＧＡ）３２に取り付ける必要があることを示す斜視図である。
【図１２】フレックス・ケーブル６０を折り返す前に、取り付けねじ４４によってフレックス・ケーブル・アセンブリ（ＦＣＡ）５０をヘッド・ジンバル・アセンブリ（ＨＧＡ）３２に取り付ける必要があることを示す斜視図（Ａ）及び平面図（Ｂ）である。
【図１３】本発明においては、ブラケットＡ７０とブラケットＢ８０とは別に、バンド９０を利用することを示す斜視図である。
【図１４】バンド９０には、フック部９２とサポート部９６との両方を兼ね備えることができることを示す斜視図及び平面図である。
【図１５】バンド９０の溝９４を示す平面図である。
【図１６】ブラケットＢ８０の側に設けられた突起８２を示す斜視図である。
【図１７】（Ａ）バンド９０が単独で曲げられた場合と、（Ｂ）バンド９０がフレックス・ケーブル６０に取り付けられた状態で曲げられた場合とを比較した模式図である。
【符号の説明】
１０  ハード・ディスク・ドライブ（ＨＤＤ）
１２  ベース
１４  ディスク
１６  ボイス・コイル・モータ（ＶＣＭ）アセンブリ（ＡＳＭ）
１８  カバー
３０  ヘッド・サスペンション・アセンブリ（ＨＳＡ）
３２  ヘッド・ジンバル・アセンブリ（ＨＧＡ）
３４  ヘッド
３６  サスペンション
３８  コイル・サポート
４０  軸
４４  取り付けねじ
５０  フレックス・ケーブル・アセンブリ（ＦＣＡ）
６０  フレックス・ケーブル
６２  一方
６４  ブラケットＡとブラケットＢとの間
６６  他方
７０  ブラケットＡ
８０  ブラケットＢ
８２  突起
９０  ブラケットバンド（バンド）
９２  フック部
９４  溝
９６  サポート部
１００  アーム・エレクトロニクス（ＡＥ）
１１０  他の電気パーツ
１２０  ブラケットバーティカル
１３０  ブラケットベースサイド
１４０  コネクタ
【図１】
0004119572.tif 000002
【図２】
0004119572.tif 000003
【図３】
0004119572.tif 000004
【図４】
0004119572.tif 000005
【図５】
0004119572.tif 000006
【図６】
0004119572.tif 000007
【図７】
0004119572.tif 000008
【図８】
0004119572.tif 000009
【図９】
0004119572.tif 000010
【図１０】
0004119572.tif 000011
【図１１】
0004119572.tif 000012
【図１２】
0004119572.tif 000013
【図１３】
0004119572.tif 000014
【図１４】
0004119572.tif 000015
【図１５】
0004119572.tif 000016
【図１６】
0004119572.tif 000017
【図１７】
0004119572.tif 000018